(57)【特許請求の範囲】
【請求項１】
人工飼料またはシルバーリーフコナジラミの寄生葉および採卵基質を用いてリュウキュウツヤテントウを大量増殖することにより、リュウキュウツヤテントウを含む生物農薬を製造する方法であって、前記採卵基質が、ゴースおよび該ゴースをその上面に載置する台を含む人工採卵器であることを特徴とする、前記方法。
【請求項２】
ゴースが、湾曲し、その凸面において台と接するものであることを特徴とする、請求項１に記載の方法。
【発明の詳細な説明】
【０００１】
【発明の属する技術分野】
本発明は、害虫防除用生物農薬、その製造方法、その方法に用いる採卵基質及びそれを用いた害虫防除法に関する。
【０００２】
【従来の技術】
小型吸汁性昆虫、特にコナジラミ類の被害は、本類の吸汁害による葉や果実の白化症による品質低下および生育阻害のみにとどまらず、ウイルス病の媒介、更に、排泄物に誘発されるすす病が挙げられ、その被害は甚大である。
【０００３】
また、キジラミ類においてもカンキツグリーニング病を媒介する重要害虫種を含み、多発生下ではすす病の誘発による品質の低下や生育阻害など、作物に対し甚大な被害を与える。
その他、コナカイガラムシ類、アブラムシ類またはハダニ類も、前記コナジラミ類およびキジラミ類と同様な被害を及ぼす、重要かつ防除が困難な害虫である。
【０００４】
これらの害虫の防除は、化学合成殺虫剤の散布を主体に行われてきたが、現在においては薬剤抵抗性の系統が出現し、殺虫剤のみによる防除は困難を極めている。
また、化学合成殺虫剤は、人体、環境および非標的生物に対する悪影響があることを免れない。
したがって、化学合成殺虫剤に代わる防除方法が強く求められている。
【０００５】
このような背景から、近年、化学合成殺虫剤でない害虫防除資材として、捕食性ダニ類およびカメムシ類などを利用した生物農薬が農薬として登録されるに至っている。該生物農薬は従来の化学合成殺虫剤とは異なり、化合物を用いないため、前記のような問題を回避している。
【０００６】
このような背景の下、前記コナジラミ類、例えばシルバーリーフコナジラミ等に対しても、その防除資材として寄生蜂および昆虫寄生菌が生物農薬として登録されており、生物的防除の重要性が認識されつつある。しかしながら、前記寄生蜂においては外国産の天敵であることから国内の生態系における影響が懸念され、また昆虫寄生菌においては、その効果が環境要因に左右されやすく使用法がやや複雑であるため、農家への普及が遅れている。
【０００７】
さらに、前記寄生蜂および昆虫寄生菌は、それによって防除ができる対象種数が少ないため、汎用性に乏しいという欠点がある。そのため、これら生物農薬を用いても、その農薬が防除できない害虫は増殖、加害を繰り返すことになる。しかも、天敵は一般に薬剤感受性が高く、前記残存害虫の防除を目的とする合成殺虫剤、または植物病害予防のために用いられる殺菌剤の同時使用は多くの場合不可能である。
また、キジラミ類については、現在までに有効な生物農薬は開発されていない。
【０００８】
したがって、従来の生物農薬においては、化学合成殺虫剤で問題になっていた上記問題は解消されたものの、環境への安全性、生産および使用コスト、並びに効果面等には未だに問題が残っているのが現状である。
【０００９】
そのため、前記害虫種に対する防除効果が高く、かつ生産コストの低い天敵を用いる生物農薬の開発に対する強い要望が存する。
【００１０】
【発明が解決しようとする課題】
本発明の課題は、従来の生物農薬の上記の問題を解決するために、用いられる天敵の大量増殖が効率的に行え、しかも汎用性が高い生物農薬、該生物農薬を用いた害虫防除法ならびにその製造方法を提供することにある。
【００１１】
【課題を解決するための手段】
本発明者は上記問題を解決すべく鋭意研究を重ねる中で、広食性土着天敵であるリュウキュウツヤテントウが生物農薬として使用できることを見いだし、これを利用した生物農薬およびその大量増殖法を創出し、本発明を完成するに至った。
すなわち、本発明は、リュウキュウツヤテントウを含む害虫防除用生物農薬に関する。
【００１２】
また、本発明は、リュウキュウツヤテントウが、成虫、卵および蛹からなる群から選択される１または２以上であることを特徴とする、前記生物農薬に関する。
さらに、本発明は、剤型が、リュウキュウツヤテントウの成虫および／または卵が入った容器であるか、またはリュウキュウツヤテントウの蛹を貼付した小紙片であることを特徴とする、前記生物農薬に関する。
また、本発明は、防除対象害虫が、コナジラミ類、キジラミ類、コナカイガラムシ類、アブラムシ類またはハダニ類であることを特徴とする、前記生物農薬に関する。
さらに、本発明は、コナジラミ類が、シルバーリーフコナジラミであることを特徴とする、前記生物農薬に関する。
【００１３】
またさらに、本発明は、害虫を防除するための方法であって、前記いずれかの生物農薬を圃場に設置することを特徴とする、前記方法に関する。
【００１４】
また、本発明は、人工飼料、植物生体および採卵基質を用いてリュウキュウツヤテントウを大量増殖することにより、リュウキュウツヤテントウを含む生物農薬を製造する方法に関する。
さらに、本発明は、採卵基質が、生葉または人工採卵器であることを特徴とする、前記方法に関する。
また、本発明は、生物農薬を大量増殖するための人工採卵器であって、ゴース、および該ゴースをその上面に載置する台を含む、前記人工採卵器に関する。
さらに、本発明は、ゴースが、湾曲し、その凸面において台と接するものであることを特徴とする、前記人工採卵器に関する。
そして、本発明は、生物農薬がリュウキュウツヤテントウを含むことを特徴とする、前記人工採卵器に関する。
【００１５】
本発明者らは、本発明に関する研究を行う中で、シルバーリーフコナジラミ天敵探索のためのシルバーリーフコナジラミ増殖用沖縄県農業試験場ガラス温室に、２００１年６月頃、本種が侵入し捕食しているのを発見した。本発明者らは、続いてその経過を観察したところ、本種が約１月でシルバーリーフコナジラミを捕食によって絶滅に近い状態にすることを確認した。
なお、同種の同定は、元福井大学教授佐々治寛之氏に依頼し、最終的に同種がリュウキュウツヤテントウ(Serangium ryukyuense)であると同定された。
【００１６】
また、本発明者らは、２００１年９月にマンゴーキジラミ発生圃場において、本種がマンゴーキジラミを捕食しているのを発見した。さらに本発明者らは、２００１年１０月にミカンキジラミの野外調査および室内飼育によりミカンキジラミを捕食することを発見した。
本発明は、これらの発見・観察を基に行われたものである。
【００１７】
リュウキュウツヤテントウは、主としてコナジラミ類およびキジラミ類を捕食し、コナカイガラムシ類、アブラムシ類およびハダニ類に対する食性も有する。また、本種は、国内においては沖縄県においてのみ分布が確認されている土着の天敵である。したがって、本発明による生物農薬は、環境に対する安全性および汎用性の面において優れている。
【００１８】
また、本発明による生物農薬を用いて害虫防除を行うには、適当数の該農薬を圃場に設置するだけで可能であるため使用が極めて簡便であり、かつ使用者に対する安全性にも優れている。
【００１９】
さらに、本発明の生物農薬に用いられるリュウキュウツヤテントウは、人工飼料、植物生体および採卵基質を用いて室内において大量増殖が可能であるため、本発明による生物農薬は安定的に製造・供給することができる。
すなわち、本発明によれば、リュウキュウツヤテントウの安定的な大量生産技術が確立され、園芸作物等の重要害虫であるコナジラミ類およびキジラミ類等に対し、化学合成農薬の使用が低減された生物的防除が可能になる。また、本種は土着の天敵であることから圃場への放飼により国内の生態系への影響は少なく、極めて安全な生物的防除法も提供される。
【００２０】
【発明の実施の形態】
本発明による生物農薬の圃場への導入は、リュウキュウツヤテントウが成虫、卵または蛹のステージである時に行うと、長期の防除効果が得られる。特に、成虫を導入すると防除効果がより速効的に現れ好適である。
剤型としては、成虫および／または卵を入れた瓶等の容器、または蛹を貼付した小紙片などが流通面および使用面いずれにおいても好適である。
使用に際しては、前記の容器または小紙片を、防除を要する圃場に設置するという極めて簡便な方法により、対象害虫に対する優れた防除効果が得られる。
【００２１】
リュウキュウツヤテントウは、前記シルバーリーフコナジラミなどのコナジラミ類およびマンゴーキジラミおよびミカンキジラミなどのキジラミ類を主として捕食する。したがって、本発明による生物農薬は、これらの害虫の防除に特に適している。
例えば、本種のシルバーリーフコナジラミに対する１日の捕食量は、最大１５０頭程度で、生涯の捕食量は数千〜１万頭程度と推定される。
【００２２】
本種の捕食範囲は、通常は上記コナジラミ類およびキジラミ類であるが、これらの昆虫が存在しない状態では、カンザワハダニなどのハダニ類、クワコナカイガラなどのコナカイガラムシ類、ワタアブラムシおよびモモアカアブラムシなどのアブラムシ類を捕食する。したがって、本発明の生物農薬によれば、多種の小型吸汁性害虫の防除を効果的に行うことができる。
【００２３】
生物農薬の普及においては、目的とする生物個体の大量による安定供給システムの確立が不可欠である。
【００２４】
本種の大量増殖は、人工飼料、植物生葉および採卵基質を用いることによって、簡便に行うことができる。すなわち、成虫は雄蜂児粉末を主成分とした人工飼料および蜂蜜人工飼料で飼育可能である。幼虫は、シルバーリーフコナジラミの好む植物に高密度に寄生させたシルバーリーフコナジラミの卵・幼虫・蛹をその葉につけた状態で与えることにより蛹まで容易に飼育できる。産卵基質としては、シルバーリーフコナジラミ幼虫の寄生した葉、または専用の採卵器具（人工採卵器）を用いる。
【００２５】
前記人工採卵器は、ゴース、および該ゴースをその上面に載置する台を含むことができる。典型的には、前記人工採卵器は矩形を有するものであることができる。また、前記ゴースはナイロン製、前記台はスチロール製のものが安価であり、好適に用いられる。
前記ゴースは、湾曲し、その凸面において台と接するものであると、それぞれによって形成される間隙部がリュウキュウツヤテントウの好適な産卵箇所となるため、増殖効率の面で好ましい。
【００２６】
上記各器具等を用いた場合の本種の生育状況は、例えば、２６℃定温飼育の結果では、卵から成虫までの発育日数は１４．５日、産卵前期間６日、日当たり産卵数１０〜１５個であった。
【００２７】
一方、本種の餌であるシルバーリーフコナジラミの増殖は、産卵用の区画内で育苗した本種の好適寄主（現在、キャベツ・ナス・タバコを使用）に３日間産卵させ、その後生育用の区画内で３令幼虫に成長した段階で（２６℃の定温飼育で産卵後１６〜１８日後）寄生した葉のまま切り取り、本種幼虫の飼育区画で餌として与えることによって行える。
【００２８】
以上のように、リュウキュウツヤテントウは簡便な方法によって大量増殖が可能であるため、本発明の生物農薬も安定的に供給することが可能である。
【００２９】
以下に本発明の実施例について表および図を参照して説明するが、これは本発明をよりわかりやすく説明するためのものであって、如何なる場合も本発明の範囲を制限するものではない。
【００３０】
【実施例】
（実施例１）  リュウキュウツヤテントウの発育日数
１７〜２９℃の範囲で５段階の定温飼育によりリュウキュウツヤテントウの卵期間、幼虫期間、蛹期間、成虫の産卵前期間、産卵数について調べた。飼育は、透明スチロール容器（66×37×12mm）に個体飼育とし、餌のシルバーリーフコナジラミ幼虫を十分与え、容器を恒温器の中に設置し、日長１４Ｌ１０Ｄ、の条件で行った。なお卵は、シルバーリーフコナジラミの寄生したポインセチアまたは台木用ナスに２４時間産卵させたものを１卵ずつ前述の容器にセットしふ化させた。
その結果、本種の発育日数は、供試温度範囲においては、温度の上昇に伴って短縮された（表１）。このことは、本発明による生物農薬が、ビニルハウス内等の高温条件下での使用にも適合することを示唆するものである。
【００３１】
【表１】
0003760142.tif 000002
【００３２】
（実施例２）  リュウキュウツヤテントウの繁殖特性
２０℃および２６℃における結果は表２の通りであり、２６℃が本種にとって好適な繁殖条件と考えられた。
【００３３】
【表２】
0003760142.tif 000003
【００３４】
（実施例３）リュウキュウツヤテントウの大量増殖方法
（１） 採卵基質にシルバーリーフコナジラミの寄生葉を用いる場合
採卵は、通気口１をその蓋部に有するポリプロピレン製の採卵用飼育ケースに羽化後７日目以降の成虫３０個体を収容し、その中にシルバーリーフコナジラミの寄生した葉２を数枚設置し２日間産卵させた（図１）。
その後、産卵済みの葉を取り出しポリプロピレン製の増殖容器（幼虫飼育用容器）に設置し、ふ化幼虫の摂食量を勘案し、随時シルバーリーフコナジラミの寄生葉２を補給する。この際、葉と葉の間に空間を作るために短冊状に裁断した紙片３を入れた。
これを室温２６℃、湿度６０〜７０％の条件下で保管し、成虫が羽化した段階で回収する。飼育ケ−ス１個当たりのリュウキュウツヤテントウ成虫生産数は１５日後で１００〜２００頭であった（図２）。
なお、本種の餌であるシルバーリーフコナジラミの寄生葉および産卵基質として、シルバーリーフコナジラミの寄生したカンランの葉を用いた。
【００３５】
（２） 採卵基質に人工採卵器を用いる場合
採卵の際にシルバーリーフコナジラミの寄生葉の代わりにナイロンゴース４およびスチロール製台５からなる人工採卵器（図３）を３〜４個用い、採卵期間を１日とする以外は（１）と同様であった。
この場合も、（１）と同等の効率でリュウキュウツヤテントウが得られた。
したがって、本装置は、本種の大量増殖に人工飼料を用いることを想定して開発された物であるが、十分に実用上の目的を果たすものであると考えられた。
【００３６】
（実施例４）リュウキュウツヤテントウのシルバーリーフコナジラミ各ステージ別の捕食量
リュウキュウツヤテントウ成虫１頭当たりのシルバーリーフコナジラミ各ステージに対する捕食量について、一定数を与えて２４時間後に調査した結果、卵で１００個程度、若齢幼虫で４５匹程度、老齢幼虫および蛹で２０匹程度を捕食することがわかった（表３）。
【００３７】
【表３】
0003760142.tif 000004
【００３８】
（実施例５）リュウキュウツヤテントウのシルバーリーフコナジラミ各ステージ混在下の捕食量
リュウキュウツヤテントウ成虫１頭当たりのシルバーリーフコナジラミ各ステージが混在した場合の捕食量について２４時間後に調査した結果、総数で１５０匹程度を捕食することがわかった（表４）。
【００３９】
【表４】
0003760142.tif 000005
【００４０】
（実施例６）ポット試験によるリュウキュウツヤテントウによるシルバーリーフコナジラミの防除効果
リュウキュウツヤテントウ成虫を１ポット当たり５頭放飼した区では放飼後１６日目でほとんどシルバーリーフコナジラミは見られなくなり極めて高い防除効果であった（図４）。
【００４１】
【発明の効果】
本発明によって、用いられる天敵の大量増殖が効率的に行え、しかも汎用性が高い生物農薬、該生物農薬を用いた害虫防除法ならびにその製造方法が提供される。したがって、本発明によれば、シルバーリーフコナジラミ等のコナジラミ類およびキジラミ類等の防除が、効率的かつ安全に行われる。
【図面の簡単な説明】
【図１】  リュウキュウツヤテントウの採卵容器を示す図である。
【図２】  リュウキュウツヤテントウの増殖容器を示す図である。
【図３】  リュウキュウツヤテントウの人工採卵器を示す図である。
【図４】  ポット試験による、リュウキュウツヤテントウのシルバーリーフコナジラミに対する密度抑圧効果を示す図である。
【符号の説明】
１…通気口
２…シルバーリーフコナジラミの寄生葉
３…短冊状の紙片
４…ナイロンゴース
５…スチロール製台
６…リュウキュウツヤテントウの産卵箇所（ナイロンゴースとスチロール製台との間）
【図１】
0003760142.tif 000006
【図２】
0003760142.tif 000007
【図３】
0003760142.tif 000008
【図４】
0003760142.tif 000009